(57)【要約】      （修正有）【課題】基板シートの表面に導電性ペーストを塗工する工程の回数を減少させる。【解決手段】印刷装置は、複数の凸部６２ａを有する平板状部材６２と、基板シート６１とを有する基材６０を処理する。印刷装置は、基材６０を保持する印刷定盤３０と、貫通穴２７ａが設けられたスクリーン版２７とを有するスクリーン機構２５と、スクリーン版２７に載置された導電性ペーストを貫通穴２７ａを介して基材６０の基板シート６１上に転移させるスキージ２２を具備。スクリーン機構２５の上流側には、基板シート６１に圧力を加えて、基板シート６１に平板状部材６２の凸部６２ａに対応する凸部を形成する加圧体１１を有する加圧機構１０を配置。スクリーン機構２５の上流側には、スキージ２２によって転移される導電性ペーストが、加圧機構１０によって形成された基板シート６１の凸部上に載置し、基材６０を印刷定盤３０に対して位置決めする機構が配置されている。【選択図】図１
2010023465.tif 000002
【特許請求の範囲】
【請求項１】
複数の凸部を有する平板状部材と、該平板状部材上に載置された基板シートとを有する基材を保持する印刷定盤と、
所定のパターンからなる貫通穴が設けられたスクリーン版と、該スクリーン版を保持する保持部とを有するスクリーン機構と、
前記スクリーン版上で走査し、該スクリーン版に載置された導電性ペーストを前記貫通穴を介して前記基材の前記基板シート上に転移させるスキージと、
前記スクリーン機構の上流側に配置されるとともに、前記基板シートに圧力を加えて、該基板シートに前記平板状部材の凸部に対応する凸部を形成する加圧体を有する加圧機構と、
前記スキージによって転移される導電性ペーストが、前記加圧機構によって形成された前記基板シートの凸部上に載置されるように、前記基材を前記印刷定盤に対して位置づける位置決め機構と、
を備えたことを特徴とする印刷装置。
【請求項２】
前記位置決め機構は、前記印刷定盤に保持された基材の画像を取得する画像取得装置と、該画像取得装置によって取得された画像を表示する画像表示装置と、前記印刷定盤に対する前記基材の位置を調整する位置調整装置と、を有することを特徴とする請求項１に記載の印刷装置。
【請求項３】
前記位置決め機構は、前記印刷定盤に保持された基材の画像を取得する画像取得装置と、前記印刷定盤に対する前記基材の位置を調整する位置調整装置と、該位置調整装置を前記画像取得装置によって取得された画像の情報に基づいて制御する制御部と、を有することを特徴とする請求項１に記載の印刷装置。
【請求項４】
基材を保持する印刷定盤と、所定のパターンからなる貫通穴が設けられたスクリーン版を有するスクリーン機構と、該スクリーン版上で走査可能なスキージと、前記スクリーン機構の上流側に配置された加圧機構と、前記基材を前記印刷定盤に対して位置づける位置決め機構と、を有する印刷装置を用いた印刷方法であって、
前記印刷定盤によって、複数の凸部を有する平板状部材と、該平板状部材上に載置された基板シートとを有する基材を保持する保持工程と、
前記加圧機構によって、前記基板シートに圧力を加えて、該基板シートに前記平板状部材の凸部に対応する凸部を形成する加圧工程と、
前記スキージを前記スクリーン版上で走査させることによって、該スクリーン版に載置された導電性ペーストを前記貫通穴を介して前記基材の前記基板シート上に転移させる転移工程と、を備え、
前記転移工程の前に、前記位置決め機構によって、前記スキージによって転移される導電性ペーストが、前記加圧機構によって形成された前記基板シートの凸部上に載置されるように、前記基材を前記印刷定盤に対して位置づける位置決め工程が設けられたことを特徴とする印刷方法。
【請求項５】
前記位置決め工程は、画像取得装置によって前記印刷定盤に保持された基材の画像を取得する画像取得工程と、画像表示装置によって前記画像取得装置で取得された画像を表示する画像表示工程と、該画像表示装置で表示された画像に基づいて前記印刷定盤に対する前記基材の位置を調整する位置調整工程と、を有することを特徴とする請求項４に記載の印刷方法。
【請求項６】
前記位置決め工程は、画像取得装置によって前記印刷定盤に保持された基材の画像を取得する画像取得工程と、該画像取得装置で取得された画像の情報に基づいて前記印刷定盤に対する前記基材の位置を自動的に調整する位置調整工程と、を有することを特徴とする請求項４に記載の印刷方法。
【発明の詳細な説明】
【技術分野】
【０００１】
本発明は、基板シート上に複数の導電性バンプを形成するための印刷装置および印刷方法に関する。
【背景技術】
【０００２】
従来から、銅箔等の基板シートの表面に複数の略円錐状の導電性バンプが形成された導電性バンプ付基板シートと、プリプレグ等の非導電性シート（絶縁シート）とを交互に重ね合わせることにより形成される多層プリント配線板が知られている。このような多層プリント配線板において、基板シートの表面に形成された導電性バンプが絶縁シートを貫通することによって、当該絶縁シートの両側にある基板シート同士が導電性バンプによって電気的に接続されるようになっている（例えば、特許文献１乃至３等参照）。
【０００３】
そして、スクリーン版の表面に圧接されるスキージと、スキージをスクリーン版の表面に接離する方向に移動させる空気圧シリンダと、スキージがスクリーン版の表面に圧接された状態でスキージとスクリーン版とを相対移動させてスキージをスクリーン版に対して摺動させる駆動モータとを備え、スキージがスクリーン版の表面上を摺動することにより、半田ペーストなどの導電性ペーストがスクリーン版の貫通穴から押し出されてプリント基板などの基材の表面に印刷が行われる技術が知られている（特許文献４参照）。
【０００４】
このような従来の技術を用いて、銀ペースト、半田ペーストなどの導電性ペーストを基板シートの表面に印刷する方法について、以下、図８および図９を用いて説明する。
【０００５】
まず、図８に示すような平板状の基板シート８０を印刷定盤９０上に載置し、この平板状の基板シート８０の上方にわずかな距離を隔ててスクリーン版９２を設置する。また、図９に示すようにスクリーン版９２には、基板シート８０に導電性バンプ８２が形成されるべき位置に対応して複数の貫通穴９２ａが形成されている。そして、図８および図９に示すように、スキージ９６により導電性ペースト９８の塗工を行い、この際に図９に示すようにスキージ９６がスクリーン版９２を下方に押圧してこのスクリーン版９２と基板シート８０とを当接させることにより、導電性ペースト９８がスクリーン版９２の貫通穴９２ａを通過して平板状の基板シート８０上に付着する。
【０００６】
その後、基板シート８０の乾燥を行うことにより、図１０に示すように基板シート８０上の導電性ペースト９８が硬化して略円錐状の導電性バンプ８２が形成されることとなる。
【０００７】
ここで、基板シート８０に形成される導電性バンプ８２は、当該基板シート８０の厚さ方向（図１０の上下方向）において絶縁シート（図示せず）を貫通させるのに十分な高さが必要とされる。また、多層プリント配線板のファインピッチ化を行う場合には、略円錐状の導電性バンプ８２について、同じ高さであっても底面積が小さくなるような形状、すなわちいわゆるアスペクト比の高い略円錐状とする必要がある。
【特許文献１】特許第３１６７８４０号
【特許文献２】特開２００４−６５７７号公報
【特許文献３】特開２００２−３０５３７６号公報
【特許文献４】特開平１１−４８４４６号公報
【発明の開示】
【発明が解決しようとする課題】
【０００８】
しかしながら、従来の導電性バンプ付基板シートの製造方法においては、平板状の基板シート８０上に導電性バンプ８２を形成するにあたり、スクリーン印刷工程１回あたりの基板シート８０に付着する導電性ペースト９８の量はスクリーン版９２の貫通穴９２ａにより定められる。このため、導電性ペースト９８の量が十分ではなく、１回のスクリーン印刷工程では導電性バンプ８２の高さが絶縁シートを貫通させるのに十分な高さに達しない場合が多い。
【０００９】
より具体的には、導電性バンプ８２により絶縁シートを貫通させる際には、図１０（ｄ）に示すような高さを有する略円錐状の導電性バンプ８２が求められる。ここで、図１０（ａ）−（ｄ）は、従来の方法により基板シート８０に導電性バンプ８２が形成される過程を示す図であって、図１０（ａ）（ｂ）（ｃ）（ｄ）はそれぞれ、１回目、２回目、３回目および４回目のスクリーン印刷工程および乾燥工程後の導電性バンプ８２の形状を示している。このため、この例では、図８に示すようなスクリーン印刷工程を４回繰り返して行うことが必要とされる。
【００１０】
しかしながら、スクリーン印刷工程を１回行うたびに基板シート８０の乾燥工程およびＣＣＤカメラ等によるスクリーン版９２の位置合わせ工程が必要となり、十分な高さの導電性バンプ８２が形成されるまでこれらの工程も何度も繰り返す必要があった。また、スクリーン印刷工程を繰り返し行うと、スクリーン印刷工程実行回数をａ、１回のスクリーン印刷工程において不良が発生する割合をｂとしたときに、歩留まり率は（１−ｂ）ａ≒１−ａ×ｂとなり、スクリーン印刷工程の実行回数が増えれば増えるほど導電性バンプ付基板シートの製造における歩留まり率が低下するという問題があった。
【００１１】
本発明は、このような点を考慮してなされたものであり、基板シートの表面に導電性ペーストを塗工する工程の回数を減少させることができ、ひいては、導電性バンプ付基板の製造時間を短縮することができるとともに、導電性ペーストの使用量を減少させることができ、しかも導電性バンプ付基板シートの製造における歩留まり率を高くすることができる印刷装置および印刷方法を提供することを目的とする。
【課題を解決するための手段】
【００１２】
本発明による印刷装置は、
複数の凸部を有する平板状部材と、該平板状部材上に載置された基板シートとを有する基材を保持する印刷定盤と、
所定のパターンからなる貫通穴が設けられたスクリーン版と、該スクリーン版を保持する保持部とを有するスクリーン機構と、
前記スクリーン版上で走査し、該スクリーン版に載置された導電性ペーストを前記貫通穴を介して前記基材の前記基板シート上に転移させるスキージと、
前記スクリーン機構の上流側に配置されるとともに、前記基板シートに圧力を加えて、該基板シートに前記平板状部材の凸部に対応する凸部を形成する加圧体を有する加圧機構と、
前記スキージによって転移される導電性ペーストが、前記加圧機構によって形成された前記基板シートの凸部上に載置されるように、前記基材を前記印刷定盤に対して位置づける位置決め機構と、
を備えている。
【００１３】
本発明による印刷装置において、
前記位置決め機構は、前記印刷定盤に保持された基材の画像を取得する画像取得装置と、該画像取得装置によって取得された画像を表示する画像表示装置と、前記印刷定盤に対する前記基材の位置を調整する位置調整装置と、を有することが好ましい。
【００１４】
本発明による印刷装置において、
前記位置決め機構は、前記印刷定盤に保持された基材の画像を取得する画像取得装置と、前記印刷定盤に対する前記基材の位置を調整する位置調整装置と、該位置調整装置を前記画像取得装置によって取得された画像の情報に基づいて制御する制御部と、を有することが好ましい。
【００１５】
本発明による印刷方法は、
基材を保持する印刷定盤と、所定のパターンからなる貫通穴が設けられたスクリーン版を有するスクリーン機構と、該スクリーン版上で走査可能なスキージと、前記スクリーン機構の上流側に配置された加圧機構と、前記基材を前記印刷定盤に対して位置づける位置決め機構と、を有する印刷装置を用いた印刷方法であって、
前記印刷定盤によって、複数の凸部を有する平板状部材と、該平板状部材上に載置された基板シートとを有する基材を保持する保持工程と、
前記加圧機構によって、前記基板シートに圧力を加えて、該基板シートに前記平板状部材の凸部に対応する凸部を形成する加圧工程と、
前記スキージを前記スクリーン版上で走査させることによって、該スクリーン版に載置された導電性ペーストを前記貫通穴を介して前記基材の前記基板シート上に転移させる転移工程と、を備え、
前記転移工程の前に、前記位置決め機構によって、前記スキージによって転移される導電性ペーストが、前記加圧機構によって形成された前記基板シートの凸部上に載置されるように、前記基材を前記印刷定盤に対して位置づける位置決め工程が設けられている。
【００１６】
本発明による印刷方法において、
前記位置決め工程は、画像取得装置によって前記印刷定盤に保持された基材の画像を取得する画像取得工程と、画像表示装置によって前記画像取得装置で取得された画像を表示する画像表示工程と、該画像表示装置で表示された画像に基づいて前記印刷定盤に対する前記基材の位置を調整する位置調整工程と、を有することが好ましい。
【００１７】
本発明による印刷方法において、
前記位置決め工程は、画像取得装置によって前記印刷定盤に保持された基材の画像を取得する画像取得工程と、該画像取得装置で取得された画像の情報に基づいて前記印刷定盤に対する前記基材の位置を自動的に調整する位置調整工程と、を有することが好ましい。
【発明の効果】
【００１８】
本発明によれば、基板シートの表面に導電性ペーストを塗工する工程の回数を減少させることができる。このため、導電性バンプ付基板の製造時間を短縮することができるとともに、導電性ペーストの使用量を減少させることができ、しかも導電性バンプ付基板シートの製造における歩留まり率を高くすることができる。
【００１９】
また、本発明によれば、スクリーン機構の上流側に、基板シートに圧力を加えて当該基板シートに平板状部材の凸部に対応する凸部を形成する加圧体を有する加圧機構が配置されている。このため、基板シートに平板状部材の複数の凸部に対応する凸部を形成する際に、エンボス装置やプレス装置のような専用装置を用いる必要がない。また、専用装置で基板シートに平板状部材の複数の凸部に対応する凸部を形成した後、この専用装置から基材を取り外す必要もない。
【００２０】
さらに、本発明によれば、位置決め機構によって、スキージによって転移される導電性ペーストが、加圧機構によって形成された基板シートの凸部上に載置されるように、基材が印刷定盤に対して位置づけられるので、加圧機構によって形成された基板シートの凸部上に、確実に、導電性ペーストを転移させることができる。
【発明を実施するための形態】
【００２１】
第１の実施の形態
以下、本発明に係る印刷装置および印刷方法の第１の実施の形態について、図面を参照して説明する。ここで、図１乃至図６は本発明の第１の実施の形態を示す図である。
【００２２】
図１に示すように、印刷装置によって処理される基材６０は、複数の凸部６２ａを有する平板状部材６２と、この平板状部材６２上に載置された基板シート（例えば、金属箔）６１とを有している。
【００２３】
また、図１に示すように、印刷装置は、基材６０を吸引孔（図示せず）からの吸引力によって保持する印刷定盤３０と、所定のパターンからなる複数の貫通穴２７ａが設けられたメタルマスクなどのスクリーン版２７と、このスクリーン版２７を保持する保持部２６とを有するスクリーン機構２５と、スクリーン版２７上で走査し、スクリーン版２７に載置された銀ペーストや半田ペーストなどの導電性ペースト７０（図３参照）を貫通穴２７ａを介して基材６０の基板シート６１上に転移させるスキージ２２と、を備えている。なお、上述したスキージ２２と、このスキージ２２を案内するガイド部材２１とからスキージ機構２０が構成されている。
【００２４】
また、図１に示すように、スクリーン機構２５の上流側には、基板シート６１に圧力を加えて、基板シート６１に平板状部材６２の凸部６２ａに対応する凸部６１ａを形成するロール（加圧体）１１を有する加圧機構１０が配置されている（図２および図３参照）。このロール１１としては、シリコンゴム、ウレタンゴムなどのゴムロールや、鉄、ＳＵＳなどの金属ロールを使用することができる。
【００２５】
このうち、ロール１１は、回転軸１２を中心に回転自在となっている。また、このロール１１は、上下方向に移動可能となっており、下方位置に位置する際には、基材６０の基板シート６１に当接可能となっている（図２参照）。また、印刷定盤３０の下方にはガイド部材３１が配置されている。そして、この印刷定盤３０は、このガイド部材３１に沿って水平方向に移動可能となり、ロール１１が印刷定盤３０に保持された基材６０に接触した状態で移動するようになっている。なお、印刷定盤３０は、この印刷定盤３０を移動させるための駆動力を付与する駆動部（図示せず）を有している。
【００２６】
また、図１に示すように、加圧機構１０の上流側には、印刷定盤３０に保持された基材６０の画像を取得するＣＣＤカメラ（画像取得装置）１が配置されている。また、このＣＣＤカメラ１には、ＣＣＤカメラ１によって取得された画像を表示する表示画面（画像表示装置）２が接続されている。
【００２７】
また、図１に示すように、印刷定盤３０は、この印刷定盤３０に対する基材６０の位置を調整する位置調整装置３５を有している。そして、この位置調整装置３５には、操作者によって入力された指示を送る位置指示部６が接続されている。なお、基材６０にはアライメントマークが施されており、このアライメントマークをＣＣＤカメラ１で撮影することによって、基材６０の印刷定盤３０に対する位置が位置決めされる。
【００２８】
そして、本実施の形態においては、上述したＣＣＤカメラ１、表示画面２、位置調整装置３５および位置指示部６から、スキージ機構２０によって転移される導電性ペースト７０が、加圧機構１０によって形成された基板シート６１の凸部６１ａ上に載置されるように、基材６０を印刷定盤３０に対して位置づける位置決め機構が構成されている。
【００２９】
次に、このような構成からなる本実施の形態の作用について述べる。
【００３０】
まず、印刷定盤３０によって、複数の凸部６２ａを有する平板状部材６２と、平板状部材６２上に載置された基板シート６１とを有する基材６０が保持される（保持工程）。なお、基材６０は、平板状部材６２が下方に位置し、基板シート６１が上方に位置するようにして、印刷定盤３０上に載置される（図１参照）。
【００３１】
次に、スキージ機構２０によって転移される導電性ペースト７０が、加圧機構１０によって形成された基板シート６１の凸部６１ａ上に載置されるように、基材６０が印刷定盤３０に対して位置づけられる（位置決め工程）（図１参照）。
【００３２】
具体的には、まず、ＣＣＤカメラ１によって、印刷定盤３０に保持された基材６０の画像が撮影される（画像取得工程）。次に、このようにＣＣＤカメラ１によって撮影された基材６０の画像が、表示画面２によって表示される（画像表示工程）。
【００３３】
次に、操作者が、表示画面２に表示された画像に基づいて、印刷定盤３０を所定の位置に移動させるよう、位置指示部６に指示を入力する。そして、この指示に従って、位置調整装置３５が駆動され、印刷定盤３０に対する基材６０の位置が調整される。例えば、基材６０に施されたアライメントマークがＣＣＤカメラ１の中心位置で撮影されるよう、操作者が位置指示部６に指示を入力する。そして、この指示に従って、位置調整装置３５が駆動され、アライメントマークがＣＣＤカメラ１の中心位置にくるよう、基材６０の印刷定盤３０に対する位置が調整される（位置調整工程）。
【００３４】
次に、印刷定盤３０が、駆動部から付与される駆動力によって、ガイド部材３１に沿って水平方向（図２の右側）に向かって移動される（図２参照）。なお、後述する工程は、このようにして印刷定盤３０がガイド部材３１に沿って移動されている間に行われる。
【００３５】
次に、ロール１１が、下方に移動されて下方位置に位置づけられる。そして、印刷定盤３０がガイド部材３１に沿って水平方向（図２の矢印方向）に移動することによって、ロール１１が印刷定盤３０に保持された基材６０に接触して当該基材６０を押圧した状態で、印刷定盤３０が移動することとなる（図２参照）。このとき、ロール１１は回転軸１２を中心として回転する（図２参照）。
【００３６】
そして、このロール１１によって、基板シート６１に圧力が加えられて、基板シート６１に平板状部材６２の複数の凸部６２ａに対応する凸部６１ａが形成される（加圧工程）（図２および図３参照）。
【００３７】
このように、本実施の形態によれば、スクリーン機構２５の上流側に、基板シート６１に圧力を加えて、基板シート６１に平板状部材６２の凸部６２ａに対応する凸部６１ａを形成するロール１１を有する加圧機構１０が配置されているので（図２参照）、基板シート６１に平板状部材６２の複数の凸部６２ａに対応する凸部６１ａを形成する際に、エンボス装置やプレス装置のような専用装置を用いる必要がない。また、専用装置で基板シート６１に平板状部材６２の複数の凸部６２ａに対応する凸部６１ａを形成した後、この専用装置から基材６０を取り外す必要もない。
【００３８】
上述のように、基板シート６１に平板状部材６２の複数の凸部６２ａに対応する凸部６１ａが形成されると、スキージ２２がガイド部材２１に沿ってスクリーン版２７上で走査され、スクリーン版２７に載置された導電性ペースト７０が、貫通穴２７ａを介して基材６０の基板シート６１上に転移される（転移工程）（図３および図４参照）。このとき、ロール１１は、上方に移動して上方位置に位置することとなる（図３参照）。
【００３９】
ここで本実施の形態よれば、上述のように、転移工程の前に、表示画面２に表示された画像に基づいて、印刷定盤３０を所定の位置に移動させることができる。このため、後述する転移工程において、スキージ機構２０のスキージ２２によって転移される導電性ペースト７０を、加圧機構１０によって形成された基板シート６１の凸部６１ａ上に、確実に転移させることができる。
【００４０】
このように、スキージ機構２０によって転移される導電性ペースト７０が、ロール１１によって形成された基板シート６１の凸部６１ａ上に確実に載置されることとなるので、スキージ機構２０のスキージ２２によって導電性ペースト７０を基板シート６１上に一回転移させるだけで、導電性バンプの高さを十分なものにすることができる。
【００４１】
このため、基板シート６２の表面に導電性ペースト７０を塗工する工程の回数を減少させることができ、例えば、導電性ペースト７０を塗工する工程の回数を一回にすることができる。このため、導電性バンプ付基板の製造時間を短縮することができる。また、導電性ペースト７０の使用量を減少させることもできる。さらに、導電性バンプ付基板シートの製造における歩留まり率を高くすることもできる。
【００４２】
上述のように、導電性ペースト７０が基板シート６１の凸部６１ａ上に載置されると、印刷定盤３０は水平方向（図５の左側）に移動し、初期位置に戻ることとなる（図５参照）。このとき、スキージ機構２０も初期位置に戻る（図５参照）。
【００４３】
次に、基板シート６１は平板状部材６２から剥離される。その後、基板シート６１が乾燥され、基板シート６１の各凸部６１ａに付着した導電性ペースト７０が硬化される（硬化工程）。この結果、基板シート６１上に略円錐状の導電性バンプが形成されることとなる。なお、導電性ペースト７０が紫外線硬化性の材料からなる場合には、乾燥させる代わりに紫外線を照射することによって硬化させてもよい。
【００４４】
上述のように、本実施の形態によれば、基板シート６１に平板状部材６２の複数の凸部６２ａに対応する凸部６１ａを形成する際に、エンボス装置やプレス装置のような専用装置を用いる必要がない。この結果、基板シート６１に平板状部材６２の複数の凸部６２ａに対応する凸部６１ａを形成し、当該基板シート６１の凸部６１ａ上に導電性ペースト７０を転移させる工程までを、インラインで製造することができる（図２乃至図５参照）。
【００４５】
また、上述のように、専用装置で基板シート６１に平板状部材６２の複数の凸部６２ａに対応する凸部６１ａを形成した後、この専用装置から基材６０を取り外す必要がなくなるので、連続して、当該基板シート６１の凸部６１ａ上に導電性ペースト７０を転移させることができる（図２乃至図５参照）。このため、導電性バンプ付基板シートの生産効率を向上させることができる。
【００４６】
ところで、上記では、印刷定盤３０が、ロール１１が印刷定盤３０に保持された基材６０に接触した状態で、移動する態様を用いて説明した（図２および図３参照）。しかしながら、これに限ることなく、印刷定盤３０ではなくロール１１が、印刷定盤３０に保持された基材６０に接触した状態で、水平方向に移動するようにしてもよい（図６参照）。
【００４７】
なお、ロール１１は、その表面が平板状部材６２の複数の凸部６２ａが嵌め込まれる凹部を有していてもよい。このような構成によって、基板シート６１に、平板状部材６２の凸部６２ａに対応した凸部６１ａをより確実に形成することができる。
【００４８】
また、上記では、加圧体としてロール１１を有する加圧機構１０を用いて説明したが、これに限られることなく、加圧機構１０は平プレスのようなものからなってもよい。しかしながら、加圧体としてロール１１を用いた方が、印刷装置の製造コストを低く抑えることができるので、好ましい。
【００４９】
第２の実施の形態
次に、図７により、本発明の第２の実施の形態について説明する。図１乃至６に示す第１の実施の形態では、ＣＣＤカメラ１、表示画面２、位置調整装置３５および位置指示部６から位置決め機構が構成されている態様を用いて説明したが、この代わりに、図７に示す第２の実施の形態では、位置決め機構が、印刷定盤３０に保持された基材６０の画像を取得するＣＣＤカメラ（画像取得装置）１と、印刷定盤３０に対する基材６０の位置を調整する位置調整装置３５と、この位置調整装置３５をＣＣＤカメラ１によって取得された画像の情報に基づいて制御する制御部７からなるものである。その他の構成は、図１乃至図６に示す第１の実施の形態と略同一である。
【００５０】
図７に示す第２の実施の形態において、図１乃至図６に示す第１の実施の形態と同一部分には同一符号を付して詳細な説明は省略する。
【００５１】
以下、本実施の形態の作用について説明する。
【００５２】
まず、印刷定盤３０によって、複数の凸部６２ａを有する平板状部材６２と、平板状部材６２上に載置された基板シート６１とを有する基材６０が保持される（保持工程）。
【００５３】
次に、スキージ機構２０によって転移される導電性ペースト７０が、加圧機構１０によって形成された基板シート６１の凸部６１ａ上に載置されるように、基材６０が印刷定盤３０に対して位置づけられる（位置決め工程）。
【００５４】
具体的には、まず、ＣＣＤカメラ１によって、印刷定盤３０に保持された基材６０の画像が撮影される（画像取得工程）。次に、ＣＣＤカメラ１によって撮影された画像の情報に基づいて、印刷定盤３０を所定の位置に移動させるよう、制御部７からの信号によって位置調整装置３５が駆動されて、印刷定盤３０に対する基材６０の位置が自動的に調整される（位置調整工程）。
【００５５】
次に、印刷定盤３０が、駆動部から付与される駆動力によって、ガイド部材３１に沿って水平方向（図２の右側）に向かって移動される（図２参照）。
【００５６】
以降は、第１の実施の形態と同様の工程（加圧工程、転移工程、および硬化工程）が行われる。
【００５７】
本実施の形態によっても、第１の実施の形態と同様の効果を奏することができる。
【００５８】
具体的には、まず、上述したように、転移工程の前に、制御部７からの信号によって位置調整装置３５が駆動されて、印刷定盤３０に対する基材６０の位置が自動的に調整される。このため、スキージ機構２０のスキージ２２によって転移される導電性ペースト７０を、加圧機構１０によって形成された基板シート６１の凸部６１ａ上に、確実に転移させることができる。
【００５９】
このように、スキージ機構２０によって転移される導電性ペースト７０が、ロール１１によって形成された基板シート６１の凸部６１ａ上に確実に載置されることとなるので、スキージ機構２０のスキージ２２によって導電性ペースト７０を基板シート６１上に一回転移させるだけで、導電性バンプの高さを十分なものにすることができる。
【００６０】
このため、基板シート６２の表面に導電性ペースト７０を塗工する工程の回数を減少させることができ、導電性バンプ付基板の製造時間を短縮することができる。また、導電性ペースト７０の使用量を減少させることもできる。さらに、導電性バンプ付基板シートの製造における歩留まり率を高くすることもできる。
【００６１】
また、第１の実施の形態と同様、基板シート６１に平板状部材６２の複数の凸部６２ａに対応する凸部６１ａを形成する際に、エンボス装置やプレス装置のような専用装置を用いる必要がない。このため、基板シート６１に平板状部材６２の複数の凸部６２ａに対応する凸部６１ａを形成し、当該基板シート６１の凸部６１ａ上に導電性ペースト７０を転移させる工程までを、インラインで製造することができる（図２乃至図５参照）。
【００６２】
また、第１の実施の形態と同様、専用装置で基板シート６１に平板状部材６２の複数の凸部６２ａに対応する凸部６１ａを形成した後、この専用装置から基材６０を取り外す必要がなくなるので、連続して、当該基板シート６１の凸部６１ａ上に導電性ペースト７０を転移させることができる（図２乃至図５参照）。このため、導電性バンプ付基板シートの生産効率を向上させることができる。
【図面の簡単な説明】
【００６３】
【図１】本発明の第１の実施の形態による印刷装置を側方から見た概略側方図。
【図２】本発明の第１の実施の形態による印刷装置の一駆動状態を示した概略側方図。
【図３】図２に示した状態から進んだ状態にある印刷装置を示した概略側方図。
【図４】図３に示した状態から進んだ状態にある印刷装置を示した概略側方図。
【図５】図４に示した状態から進んだ状態にある印刷装置を示した概略側方図。
【図６】本発明の第１の実施の形態の変形例による印刷装置を側方から見た概略側方図。
【図７】本発明の第２の実施の形態による印刷装置を側方から見た概略側方図。
【図８】基板シートに導電性バンプを形成する従来の方法を示す側面図。
【図９】図８の部分拡大側面図。
【図１０】従来の方法により基板シートに導電性バンプが形成される過程を示す図。
【符号の説明】
【００６４】
１      ＣＣＤカメラ（画像取得装置）
２      表示画面（画像表示装置）
１０    加圧機構
１１    ロール（加圧体）
１２    回転軸
２０    スキージ機構
２２    スキージ
２５    スクリーン機構
２６    保持部
２７    スクリーン版
２７ａ  貫通穴
３０    印刷定盤
３５    位置調整装置
６０    基材
６１    基板シート
６１ａ  凸部
６２    平板状部材
６２ａ  凸部
【図１】
2010023465.tif 000003
【図２】
2010023465.tif 000004
【図３】
2010023465.tif 000005
【図４】
2010023465.tif 000006
【図５】
2010023465.tif 000007
【図６】
2010023465.tif 000008
【図７】
2010023465.tif 000009
【図８】
2010023465.tif 000010
【図９】
2010023465.tif 000011
【図１０】
2010023465.tif 000012